(57)【要約】【課題】ユーザーが電池交換できないようにする。【解決手段】駆動ユニット２１と、二次電池３０を備えた電池ユニット２２とが、ケース２に収容された電子時計１であり、電池ユニット２１は、収容凹部３５を有する電池ケース３１と、収容凹部３５に収容された二次電池３０の上に配置されて二次電池３０を上から押さえる電池押さえ板３２とを備え、電池ケース３１には、収容凹部３５の外側に配置され外方へ突出する突起部４２が複数設けられ、突起部４２の裏面には係合凹部４３が形成されており、電池押さえ板３２は、収容凹部３５に収容された二次電池３０の上面３０ａに中央部５３を当接させ端部５４を外方へ延ばす水平部５０と、水平部５０の端部５４の先端から下方に延びる下延部５１と、下延部５１の下縁から収容凹部３５に接近する方向へ屈曲して突起部４２の係合凹部３５に係合するフック部５２と、を有する。【選択図】図２
2013134925.tif 000002
【特許請求の範囲】
【請求項１】
電気で駆動される機器を備えた駆動ユニットと、該駆動ユニットに電気を供給するための二次電池を備えた電池ユニットとが、ケースに収容され、前記電池ユニットが、前記ケースに着脱可能に取り付けられた蓋と対向して配置された電子機器であって、
前記電池ユニットは、前記二次電池を収容する収容凹部を有する電池ケースと、前記収容凹部に収容された前記二次電池の上に配置され端部が前記電池ケースに連結されて前記二次電池を上から押さえる電池押さえ板とを備え、
前記電池ケースには、前記収容凹部の外側に配置され外方へ突出する突起部が複数設けられ、該突起部の裏面には係合凹部が形成されており、
前記電池押さえ板は、前記収容凹部に収容された前記二次電池の上面に中央部を当接させ端部を前記上面の延長上に沿って外方へ延ばす水平部と、該水平部の前記端部の先端から下方に延びる下延部と、該下延部の下縁から前記収容凹部に接近する方向へ屈曲してその先端が前記突起部の前記係合凹部に係合するフック部と、を有することを特徴とする電子機器。
【請求項２】
前記フック部は、前記下延部の下縁から前記収容凹部に接近する方向であって且つ下方へ屈曲する下方屈曲部と、該下方屈曲部の下縁から前記収容凹部に接近する方向であって且つ上方へ屈曲する上方屈曲部とから構成されており、前記上方屈曲部が前記係合凹部に係合することを特徴とする請求項１に記載の電子機器。
【請求項３】
前記フック部は、前記下延部の下縁から前記収容凹部に接近する方向であって且つ下方へ１回だけ屈曲して形成されており、前記フック部または前記フック部および前記下延部に挿入孔が形成されていて、前記突起部の一部が前記挿入孔に挿通されて、前記フック部における前記挿通孔よりも先端側の部位が前記係合凹部に係合することを特徴とする請求項１に記載の電子機器。
【請求項４】
前記突起部の上面には、外方へ進むにしたがって下方に傾斜する傾斜面が形成されていることを特徴とする請求項１から請求項３のいずれか１項に記載の電子機器。
【発明の詳細な説明】
【技術分野】
【０００１】
本発明は、二次電池を有する電子機器に関するものである。
【背景技術】
【０００２】
ソーラーセルなどによって発電して得た電気を、時計のムーブメント内部に配置された二次電池に充電し、この二次電池に充電された電気で前記ムーブメントに設けられた電子部品等を駆動させる充電式電子時計においては、ユーザーによって二次電池を充電不能な一次電池に誤って電池交換されてしまうのを防止する必要がある。
【０００３】
例えば、特許文献１に記載された電池式時計では、電池を収容部内に挿入した後、該電池を収容部内で水平に所定方向へスライドさせることにより、収容部の天井部分の裏面に形成された係止片を電池の側面に係合させることで、電池を移動不能に固定している。電池を交換するためには、前記電池の側面と前記係止片との係合を解除して、電池を前記取り付け時とは逆の水平方向にスライドさせ、収容部から取り出さなければならないが、前記係止片は外観からは確認することができないようになっているため、ユーザーは電池の取り外し方がわからず、取り外すことができない。これにより、ユーザーによって二次電池を充電不能な一次電池に交換されてしまうのを防止している。
【先行技術文献】
【特許文献】
【０００４】
【特許文献１】特開２０１１−１１２４６１号公報
【発明の概要】
【発明が解決しようとする課題】
【０００５】
しかしながら、前記従来の構造では、係止部で電池を係止しているとは言うものの、収容部の壁と電池との間に隙間が存在するため、電池が不安定に支持されており、落下時の衝撃などで電池と端子との接続が開放されてしまい、オールクリアとなってしまうなどの問題が発生する。
【０００６】
そこで、本発明は、電池をしっかりと固定することができ、且つ、ユーザーが容易に電池交換をすることができない電子機器を提供するものである。
【課題を解決するための手段】
【０００７】
本発明は、上記課題を解決するために以下の手段を採用した。
本発明に係る電子機器は、電気で駆動される機器を備えた駆動ユニットと、該駆動ユニットに電気を供給するための二次電池を備えた電池ユニットとが、ケースに収容され、前記電池ユニットが、前記ケースに着脱可能に取り付けられた蓋と対向して配置された電子機器であって、前記電池ユニットは、前記二次電池を収容する収容凹部を有する電池ケースと、前記収容凹部に収容された前記二次電池の上に配置され端部が前記電池ケースに連結されて前記二次電池を上から押さえる電池押さえ板とを備え、前記電池ケースには、前記収容凹部の外側に配置され外方へ突出する突起部が複数設けられ、該突起部の裏面には係合凹部が形成されており、前記電池押さえ板は、前記収容凹部に収容された前記二次電池の上面に中央部を当接させ端部を前記上面の延長上に沿って外方へ延ばす水平部と、該水平部の前記端部の先端から下方に延びる下延部と、該下延部の下縁から前記収容凹部に接近する方向へ屈曲してその先端が前記突起部の前記係合凹部に係合するフック部と、を有することを特徴とする。
【０００８】
この構成によれば、二次電池を電池ケースにしっかりと固定することができる。また、電池ケースから二次電池を取り出すときには、電池押さえ板を電池ケースから取り外さなければならないが、その作業を二次電池の上面の側から行うとなると、フック部と係合凹部との係合を解除するのが極めて困難であり、電池押さえ板を取り外すことができない。したがって、ユーザーが二次電池を誤って充電不能な一次電池に交換してしまうのを防止することができる。
一方、電池ケースの収容凹部に二次電池を収容し、電池押さえ板を電池ケースに連結して二次電池を固定する作業は、二次電池の上面の側から容易に行うことができる。
【０００９】
本発明に係る電子機器は、前記フック部は、前記下延部の下縁から前記収容凹部に接近する方向であって且つ下方へ屈曲する下方屈曲部と、該下方屈曲部の下縁から前記収容凹部に接近する方向であって且つ上方へ屈曲する上方屈曲部とから構成されており、前記上方屈曲部が前記係合凹部に係合することを特徴とする。
この構成によれば、フック部を確実に係合凹部に係合させることができる。
【００１０】
本発明に係る電子機器は、前記フック部は、前記下延部の下縁から前記収容凹部に接近する方向であって且つ下方へ１回だけ屈曲して形成されており、前記フック部または前記フック部および前記下延部に挿入孔が形成されていて、前記突起部の一部が前記挿入孔に挿通されて、前記フック部における前記挿通孔よりも先端側の部位が前記係合凹部に係合することを特徴とする。
この構成によれば、フック部を確実に係合凹部に係合させることができる。
【００１１】
本発明に係る電子機器は、前記突起部の上面には、外方へ進むにしたがって下方に傾斜する傾斜面が形成されていることを特徴とする。
この構成によれば、電池押さえ板を枠体に連結する際に、フック部を突起部の傾斜面に当てて上から押し付けることにより、フック部が傾斜面を滑って下降し、そのときにフック部が外方へ拡開されるので、フック部が容易に突起部を乗り越えることができ、乗り越えた後にフック部が閉じるので、フック部を容易に係合凹部に係合させることができる。その結果、組み立てが容易になる。
【発明の効果】
【００１２】
本発明に係る電子機器によれば、二次電池を電池ケースにしっかりと固定することができる。また、ユーザーが二次電池を誤って一次電池に交換してしまうのを防止することができる。
【図面の簡単な説明】
【００１３】
【図１】本発明に係る電子機器としての電子時計の実施形態におけるムーブメントの平面図である。
【図２】前記実施形態の電子時計の縦断面図である。
【図３】前記実施形態のムーブメントを分解して示す断面図である。
【図４】電子時計の他の実施形態における要部を示す部分断面図である。
【図５】前記他の実施形態の要部を示す外観斜視図である。
【発明を実施するための形態】
【００１４】
以下、本発明の実施形態を図面を参照して説明する。
図２は、本発明に係る電子機器としての腕時計型電子時計（以下、電子時計という）の概略縦断面図であり、図１はこの電子時計のムーブメントの平面図である。
【００１５】
電子時計１は、発電素子としてのソーラーセルと、充電可能な二次電池を備え、ソーラーセルで発電した電気を二次電池に充電し、この二次電池に充電された電気で、ムーブメントのＩＣ等の素子を駆動する充電式電子時計である。
電子時計１は、ケース本体３と蓋４とからなるケース２を備え、ケース２の内部にムーブメント２０が収容されて構成されている。
【００１６】
ケース本体３は、上下を開口させ内部がムーブメント収納部１０となっている樹脂製の外枠５と、外枠５の一方の開口を塞ぐように固定された透明なカバーガラス６と、外枠５に埋め込まれた金属製の補強リング７とを有している。外枠５とカバーガラス６との間にはパッキン８が挟装されている。
そして、外枠５の他方の開口が金属製の蓋４によって塞がれており、蓋４はネジ（図示略）により外枠５に対して取り外し可能に取り付けられている。蓋４を外枠５から取り外すと、ケース本体３のムーブメント収納部１０に収容され固定されたムーブメント２０が外から見えるように配置されている。
【００１７】
なお、以下の説明では、図２において蓋４が配置されている側を上側、カバーガラス６が取り付けられている側を下側として、上下方向を言うものとする。
ケース本体３には、カバーガラス６の裏面（図２において上側の面）外周部に沿って、ソ−ラーセル９が固定されている。ソ−ラーセル９は、カバーガラス６を透して入射する太陽光によって発電する。
【００１８】
ムーブメント２０は、平面視略同形状の電池ユニット２２と駆動ユニット２１が上下に積層され、連結板２３により連結され一体化されて構成されている。駆動ユニット２１は下側すなわちカバーガラス６に近い側に配置され、電池ユニット２２は上側すなわち蓋４に近い側に配置されている。なお、図３は、連結される前のムーブメント２０を示している。
【００１９】
駆動ユニット２１は、樹脂製のＬＣＤ保持枠２４を備え、ＬＣＤ保持枠２４の下面に設けられた凹部に、液晶ディスプレイ（以下、ＬＣＤと略す）２５が収容され、移動不能に支持されている。ＬＣＤ２５はカバーガラス６に対向して配置されている。ＬＣＤ２５は、周知技術であるので詳細説明を省略するが、液晶を挟んで対向配置されたガラス基板２５ａ，２５ｂと、これらガラス基板２５ａ，２５ｂの外側に配置された偏光フィルタ２５ｃ，２５ｄとから構成されている。ＬＣＤ保持枠２４の上側には、ＩＣ２７等が実装された基板２６が取り付けられている。また、ＬＣＤ２５の上側には電磁シールド板２８が配置されている。ＬＣＤ２５は、ＩＣ２７によって制御され、時刻等の像をデジタル表示する。ユーザーは、カバーガラス６を透してＬＣＤ２５に表示された像を見ることができる。
このように駆動ユニット２１は、ＬＣＤ保持枠２４と、ＬＣＤ２５と、基板２６と、電磁シールド板２８とを備えて構成されている。
【００２０】
電池ユニット２２は、ボタン型の円形の二次電池３０と、二次電池３０を収容する樹脂製の電池ケース３１と、二次電池３０を電池ケース３１に固定する金属製の電池押さえ板３２とから構成されている。
電池ケース３１は、平板状をなし、下面３３が駆動ユニット２１における基板２６の上に配置され、上面３４が蓋４に対向して配置されている。電池ケース３１の上面３４の中央には、二次電池３０を収容するための平面視円形の収容凹部３５が形成されている。収容凹部３５の内径は、二次電池３０を挿入したときに二次電池３０の外周面との間に殆ど隙間が生じないように設定されている。一方、電池ケース３１の下面３３の中央には、収容凹部３５と同心上に収容凹部３５の内径よりも小径の円形の貫通孔３６が形成されている。貫通孔３６は収容凹部３５に連通している。収容凹部３５内の下面３３，すなわち下面３３において貫通孔３６を包囲する部分は、二次電池３０の下面３０ｂを支持する支持部３７となっている。
【００２１】
また、電池ケース３１における収容凹部３５の外側には、収容凹部３５の直径方向にて互いに対向する位置に、上面３４から下面３３に貫通する貫通孔４０が設けられている。また、電池ケース３１において収容凹部３５と貫通孔４０との間を連結する連結部４１の上端には、直径方向外側へ突出する突起部４２が設けられている。つまり、突起部４２は収容凹部３５の外側に配置され、外方へ突出している。突起部４２の裏面すなわち下面には係合凹部４３が形成されており、突起部４２の先端下部４４は係合凹部４３よりも下方に突出している。また、突起部４２の上面４５において先端側の部分は、直径方向外側へ進むにしたがって下方に傾斜する傾斜面４６に形成されている。
なお、収容凹部３５の深さは、電池ケース３１の収容凹部３５に二次電池３０を挿入し、二次電池３０の下面３０ｂを支持部３７に載置させたときに、二次電池３０の上面３０ａが突起部４２の上面４５よりも上方に位置するように設定されている。
【００２２】
電池押さえ板３２は、二次電池３０上にて水平に配置される水平部５０と、水平部５０の両端から下方へ屈曲する下延部５１と、下延部５１の下縁から内側へ屈曲するフック部５２とを備えている。
水平部５０は、二次電池３０の上面３０ａに当接して配置される環状の中央部５３と、中央部５３から二次電池３０の上面３０ａの延長上に沿って外方へ延びる２つの端部５４，５４とを備えている。２つの端部５４，５４は、二次電池３０の直径方向に互いに離間する方向に延びており、各端部５４の先端は電池ケース３１の突起部４２の先端よりも直径方向で若干外側に位置している。
下延部５１は、各端部５４の先端から略直角に下方に屈曲しており、電池ケース３１の突起部４２よりも直径方向で若干外側に配置されている。
【００２３】
フック部５２は、下延部５１の下縁から直径方向内側に斜め下方へ屈曲する下方屈曲部５５と、下方屈曲部５５の下縁から直径方向内側に斜め上方へ屈曲する上方屈曲部５６とを備えている。すなわち、下方屈曲部５５は、下延部５１の下縁から収容凹部３５に接近する方向であって且つ下方へ屈曲しており、上方屈曲部５６は、下方屈曲部５５の下縁から収容凹部３５に接近する方向であって且つ上方へ屈曲している。
下方屈曲部５５は、電池ケース３１の突起部４２の先端下部４４の下側に配置され、上方屈曲部５６の先端は先端下部４４の下側を回り込んで突起部４２の係合凹部４３に挿入され係合している。このように上方屈曲部５６の先端が突起部４２の係合凹部４３に係合することで、電池押さえ板３２が電池ケース３１に連結され、この連結状態において、電池押さえ板３２が二次電池３０を上から押さえて電池ケース３１に固定している。
【００２４】
積層された駆動ユニット２１と電池ユニット２２とを連結する連結板２３は、電池ユニット２２の電池ケース３１の上面３４の上に載置される天板部７０と、天板部７０の外縁から下方に屈曲して延びる複数のアーム部７１とを備えている。天板部７０は中央部分が開口しており、電池ケース３１において収容凹部３５と貫通孔４０と連結部４１と突起部４２とを除いた上面３４をほぼ覆う形状及び大きさを有していて、上面３４に面接触するようになっている。アーム部７１は、天板部７０の外周方向において適宜の間隔で配置されており、アーム部７１の先端が駆動ユニット２１のＬＣＤ保持枠２４の外周面に係止している。
【００２５】
駆動ユニット２１と電池ユニット２２とを連結板２３によって連結し一体化してムーブメント２０とした状態において、二次電池３０から基板２６に電気を供給できるように回路が形成されている。
さらに、この電子時計１では、ムーブメント２０は図示しないネジによりケース２の外枠５に固定されており、このムーブメント２０を外枠５に固定した状態において、ソーラーセル９で発電した電気が二次電池３０に充電されるように回路が形成されている。
そして、ケース２の蓋４をケース本体３から取り外すと、ムーブメント２０の上部、すなわち連結板２３と電池ユニット２２の二次電池３０及び電池押さえ板３２等が、蓋４で塞がれていた外枠５の開口を通して見ることができる。また、外枠５からムーブメント２０を取り外して前記開口からケース２の外に取り出すことが可能となっている。
【００２６】
このように構成された電子時計１では、電池ケース３１の収容凹部３５に収容された二次電池３０の外周面と収容凹部３５の内周面との間に殆ど隙間がなく、二次電池３０の下面３０ｂが電池ケース３１の支持部３７に当接し、二次電池３０の上面３０ａが電池押さえ板３２の中央部５３に当接した状態で、電池押さえ板３２によって上から押さえられて電池ケース３１に固定されているので、二次電池３０をしっかりと固定することができる。したがって、電子時計１を落下させて衝撃を受けたときなどにも、二次電池３０と端子との接続が開放されてオールクリアになることがない。その結果、安定した品質を保つことができる。
【００２７】
また、前述したように、ケース２の蓋４をケース本体３から取り外すと、ムーブメント２０の上部が露出するが、この状態で電池押さえ板３２を取り外そうとした場合、ムーブメント２０の上方（二次電池３０の上面側）からの作業となる。しかしながら、この電子時計１では、電池押さえ板３２のフック部５２が、電池ケース３１の突起部４２の下側に回り込み、上方屈曲部５６が突起部４２の下面の係合凹部４３に係合しているので、前記作業方向からでは、上方屈曲部５６を係合凹部４３から離脱させるのは極めて困難であり、電池押さえ板３２を電池ケース３１から取り外すことができない。その結果、ユーザーは二次電池３０を交換することができない。これにより、ユーザーが二次電池３０を誤って充電不能な一次電池に交換してしまうのを防止することができる。
【００２８】
また、ユーザーによる電池交換不能な構造を、電池ケース３１と電池押さえ板３２の二つの部品で完結させることができるので、部品点数が少なくて済み、且つ安価にできる。しかも、二次電池３０に特殊な細工が不要であるので、汎用の二次電池３０を用いることができる。
【００２９】
なお、製造者側において二次電池３０を交換する場合には、ムーブメント２０を外枠５から取り外してケース本体３の外に出し、さらに連結板２３を外して駆動ユニット２１と電池ユニット２２とを分離する。そして、電池ユニット２２の電池ケース３１の下面３３側から貫通孔４０に適宜の工具（例えばドライバー等）を挿入して、フック部５２を下方に押し下げつつ外径方向外側に広げることにより、上方屈曲部５６を突起部４２の先端下部４４の外側へ移動させる。これにより、上方屈曲部５６と突起部４２の係合凹部４３との係合を解除することができ、電池押さえ板３２を電池ケース３１から取り外すことができるので、二次電池３０を交換することができる。
【００３０】
二次電池３０を電池ケース３１の収容凹部３５に収容した後、電池ケース３１に電池押さえ板３２を取り付ける場合には、一方のフック部５２を一方の突起部４２の係合凹部４３に係合させておいてから、図２において二点鎖線で示すように、他方のフック部５２の上方屈曲部５６を他方の突起部４２の傾斜面４６の上に載置し、上から押し込む。すると、上方屈曲部５６が傾斜面４６の上を滑って下降し、そのときにフック部５２が外方へ弾性変形して拡開される。そして、フック部５２は拡開されつつ突起部４２の外面に沿って下降し、上方屈曲部５６の先端が突起部４２の先端下部４４よりも下側に達すると、フック部５２は弾性的に内側へ移動し初期形状に戻り、上方屈曲部５６が係合凹部４３に係合する。このように、電池押さえ板３２を電池ケース３１に容易に取り付けることができ、組み立てが容易になる。
【００３１】
次に、本発明の他の実施形態を図４，図５を参照して説明する。
この実施形態の電子時計１と前記実施形態の電子時計１との相違点は、電池ケース３１の突起部４２と電池押さえ板３２のフック部５２の形状にあり、他の構成は前記実施形態と同じである。以下、相違点についてのみ説明する。
図４に示すように、電池ケース３１の突起部４２の下面には、係合凹部４３よりも直径方向外側に、下方に突出するダム部４７が設けられている。また、突起部４２の直径方向外側の先端部４８は、ダム部４７よりも直径方向外側に突出しており、突起部４２の上面４５に形成された傾斜面４６は先端部４８の外縁（先端）まで延長されている。
【００３２】
一方、電池押さえ板３２のフック部５２は、下延部５１の下縁から直径方向内側に斜め下方へ１回だけ屈曲して形成された下方屈曲部５７のみで構成されており、前記実施形態における上方屈曲部５６に対応する部分がない。また、図４，図５に示すように、電池押さえ板３２には、水平部５０の端部５４から下方屈曲部５７の先端近くまでつながった挿入孔５８が形成されている。つまり、この実施形態では、端部５４、下延部５１，フック部５２に亘って１つの挿入孔５８が形成されている。
【００３３】
この実施形態では、挿入孔５８に突起部４２の先端部４８とダム部４７が挿入され、下方屈曲部５７の先端部５７ａが係合凹部４３に挿入され係合している。
つまり、下方屈曲部５７の先端部５７ａを係合凹部４３に係合させたときに、突起部４２の先端部４８とダム部４７が電池押さえ板３２と干渉するのを回避するために、電池押さえ板３２に挿入孔５８が設けられている。
【００３４】
この実施形態の場合にも、前述した実施形態の場合と同様の効果を奏することができる。
すなわち、二次電池３０をしっかりと固定することができ、電子時計１を落下させて衝撃を受けたときなどにも、二次電池３０と端子との接続が開放されてオールクリアになることがなく、安定した品質を保つことができる。
また、ムーブメント２０の上方からの作業方向では、フック部５２を係合凹部４３から離脱させるのは極めて困難であり、電池押さえ板３２を電池ケース３１から取り外すことができないので、ユーザーは二次電池３０を交換することができない。これにより、ユーザーが二次電池３０を誤って充電不能な一次電池に交換してしまうのを防止することができる。
さらに、ユーザーによる電池交換不能な構造を、電池ケース３１と電池押さえ板３２の二つの部品で完結させることができるので、部品点数が少なくて済み、且つ安価にできる。しかも、二次電池３０に特殊な細工が不要であるので、汎用の二次電池３０を用いることができる。
【００３５】
なお、この発明は前述した実施形態に限られるものではない。
例えば、本発明の電子機器は、電子時計に限るものではなく、携帯型情報端末機器や歩数計等であってもよい。
また、突起部の形状や電池押さえ板のフック部の形状は、前述した実施形態の形状に限るものではなく、本発明の要旨を逸脱しない範囲において種々の形状が採用可能である。
【符号の説明】
【００３６】
１  電子時計
２  ケース
４  蓋
２１  駆動ユニット
２２  電池ユニット
３０  二次電池
３０ａ  上面
３１  電池ケース
３２  電池押さえ板
３５  収容凹部
４２  突起部
４３  係合凹部
４６  傾斜面
５０  水平部
５１  下延部
５２  フック部
５３  中央部
５４  端部
５５  下方屈曲部
５６  上方屈曲部
５８  挿入孔
【図１】
2013134925.tif 000003
【図２】
2013134925.tif 000004
【図３】
2013134925.tif 000005
【図４】
2013134925.tif 000006
【図５】
2013134925.tif 000007